(57)【要約】      （修正有）【課題】体の曲面に沿って対応する櫛歯を備えた櫛構造を提供する。【解決手段】櫛構造は、柄部１０と櫛ベースセット６０とを含み、柄部の上側に頂縁１１が設けられ、底側に底縁１２が設けられ、底縁の両側辺に櫛歯を配列する空間を形成するガード棒１３を延伸形成し、頂縁と底縁の間を貫通して、頂縁より底縁に向かって幅を狭めて両結合溝斜面１５１とした結合溝１５を設け、両外側辺の握り面の中段に位置決め孔１７を設け、櫛ベースセットは櫛ベース２０と、複数の櫛歯３０と、複数のバネ４０と蓋５０を含み、櫛ベースの上側には蓋と嵌合する密封溝２５が設けられ、密封溝内に設けられた凹み孔２２内に収容された櫛歯とバネ４０が、梳る際に体の凸面に接する櫛歯先端の球面にかかる押圧力に応じてバネが圧縮されて櫛歯が進退することによって体との密着性を維持する。【選択図】図２
0003226898.tif 000002
【実用新案登録請求の範囲】
【請求項１】
柄部と、櫛ベースセットとを含む櫛構造であって、
上記柄部は，内部は櫛ベースセットを収容可能とし、柄部の上側には頂縁が設けられ、柄部の底側には底縁が設けられて、底縁の両側辺にはその間に櫛歯の配置される収容区間を形成したガード棒が延伸形成され、
頂縁と底縁の間を貫通して、頂縁より底縁に向かって徐々に幅が狭くなる結合溝が設けられて、その両面に上記櫛ベースセットに相対する両結合溝斜面が構成され、その両外側辺の握り面の中段部分に櫛ベースの位置決めブロックに対応する位置決め孔が設けられ、
上記櫛ベースセットは櫛ベースと、複数の櫛歯と、複数のバネと蓋とを含み、上記櫛ベースの上側には蓋を収容する密封溝が設けられ、蓋の密封溝に相対する底側には直線状に配列する円柱が設けられ、
櫛ベースの両外側にはそれぞれ位置決め面が構成されて、両位置決め面の中段部分は位置決めブロックが突出形成され、
上記密封溝は、複数の直線状に配列する凹み孔が設けられて、該凹み孔の底端は小さい孔径の貫通孔が櫛ベースの底部方向に向かって貫通し、凹み孔内にそれぞれ上記櫛歯とバネを収容し、
上記櫛歯は、櫛歯本体の頂端に径を拡大して形成したヘッド部が設けられ、櫛歯本体の末端には球面が設けられることを特徴とする櫛構造。
【請求項２】
前記柄部の頂縁から底縁の間の両外側辺に握り面が設けられることを特徴とする請求項１の櫛構造。
【請求項３】
上記凹み孔と貫通孔が連接する箇所で孔径の大きさを変えることによって、凹み孔と貫通孔の間に止め縁が構成されることを特徴とする請求項１の櫛構造。
【請求項４】
前記櫛ベースの両位置決め面の間の厚さが頂縁から底縁に向かって徐々に縮小することにより、両位置決め面が前記結合溝の両斜面に対応して合致して密着結合することを特徴とする請求項１の櫛構造。
【請求項５】
前記握り面は手で握るために手指に合わせて窄まった内縮斜面を有することを特徴とする請求項１の櫛構造。
【請求項６】
前記柄部の側辺には回転軸を設けて、持ち手が収納可能に枢設されることを特徴とする請求項１の櫛構造。
【請求項７】
前記柄部の側辺には持ち手が設けられることを特徴とする請求項１の櫛構造。
【考案の詳細な説明】
【技術分野】
【０００１】
本考案は、ペットのブラッシングでも、人でも使える櫛構造に関し、特に体形の曲面に沿って櫛歯ごとに単独に変形作動できる櫛構造に関する。
【背景技術】
【０００２】
従来の櫛構造における体形の曲面に沿って弾性構造によって櫛歯を変形させる構造は、円弧状弾性片と位置決め弾性片によって作動され、円弧状弾性片と位置決め弾性片は櫛ベースの位置決め溝内に埋設される。円弧状弾性片と位置決め弾性片の間は直線状に配列する櫛歯が設けられ、櫛歯は位置決め弾性片の配列孔に順番に貫通してから、櫛ベースの貫通孔に貫通することで、櫛歯の櫛歯本体が櫛ベースの外部に露出されるため、該円弧状弾性片は櫛歯が後退した後の復元力を提供できる。
【０００３】
しかし、上述の従来構造は実際に応用する時において以下の問題点が存在する。それぞれの櫛歯は位置決め弾性片によって互いの連結を達成するため、櫛歯が力を受ける時、位置決め弾性片の連結によって連動される。独立に作動できない櫛歯は体の曲面に沿ってぴったりに接触できないため、毛を梳く効果が優れない。
従って、本考案者はこれを機に創作の意思を起こし、長年の経験により設計し、多方面に追究しながら試作品をつくり、また多数回にわたる修正改良の結果、本考案を得た。
【先行技術文献】
【特許文献】
【０００４】
【特許文献１】特開２０１５−１２８５３３号公報
【特許文献２】ＷＯ２０１４／０８／０８７５２８号公報
【考案の概要】
【考案が解決しようとする課題】
【０００５】
本考案が解決しようとする課題は、従来の技術問題点について解決し、櫛歯ごとに単独に進退作動でき、体の連続する曲面に沿ってぴったりに接触を維持できる櫛構造を提供する。
【課題を解決するための手段】
【０００６】
櫛構造は、柄部と櫛ベースセットとを含む。柄部の内部は櫛ベースセットを収容でき、柄部の上側には頂縁が設けられ、柄部の底側には底縁が設けられる。底縁の両側辺はガード棒が延伸し、両ガード棒の中間は収容空間が構成され、頂縁と底縁の間は結合溝が貫通して設けられる。該結合溝の幅は頂縁より底縁に向かって徐々に狭くなって両結合溝斜面が構成され、両外側辺の握り面の中段部分に位置決め孔が設けられる。
該櫛ベースセットは櫛ベースと、複数の櫛歯と、複数のバネと蓋とを含む。該櫛ベースの上側には密封溝が設けられ、密封溝内は蓋を収容でき、蓋の密封溝に相対する底側には直線状に配列する円柱が設けられる。櫛ベースの両外側は二つの位置決め面が構成され、両位置決め面の中段部分は位置決めブロックが設けられ、密封溝には複数の直線状に配列する凹み孔が設けられ、凹み孔の底端は小さい孔径の貫通孔が櫛ベースの底部方向に向かって貫通し、凹み孔内は櫛歯とバネを収容する。該櫛歯は櫛歯本体があり、櫛歯本体の頂端には径を拡大形成したヘッド部が設けられ、櫛歯本体の末端には球面が設けられる。
【０００７】
上述の柄部の頂縁から底縁の両外側辺に握り面が設けられる。
上述凹み孔と貫通孔が連接する箇所には孔径の大きさを変えることによって、凹み孔と貫通孔の間に止め縁が構成される。
上述の櫛ベースの両位置決め面の間に厚みがあって、また、その厚さを頂縁から底縁に向かって徐々に縮小することで、両位置決め面が結合溝の両斜面に対応して合致して密着接合する。
【０００８】
上述握り面は手で握るために手指に合わせて窄まった内縮斜面を有する。
上述柄部の側辺には回転軸があり、収納可能な持ち手が枢設されることで、折り畳む時は櫛歯を守る。
上述柄部の側辺には使用しやすいよう固定持ち手が設けられる。
【考案の効果】
【０００９】
本考案を使用する時、体表面の突出面に接すると櫛歯本体の末端の球面がバネの外向反発力より大きい押圧力を受けるため、バネが内方に圧縮されて櫛歯本体が凹み孔に縮み込むことで、それぞれの櫛歯は単独に作動して体の曲面に沿って密着する接触効果が生じる。
【図面の簡単な説明】
【００１０】
【図１】図１は、本考案に係る櫛構造を示す立体図である。
【図２】図２は、本考案に係る櫛構造を示す立体分解図である。
【図３】図３は、本考案に係る櫛構造を示す断面図である。
【図４】図４は、本考案の結合溝が櫛ベースに合致固定する断面図である。
【図５】図５は、本考案の結合溝が櫛ベースに合致固定する別の断面図である。
【図６】図６は、本考案の別の実施例の断面図である。
【図７】図７は、本考案の櫛歯本体が後退して凹み孔に縮み込む図である。
【図８】図８は、本考案の握り面の内縮斜面の立体図である。
【図９】図９は、本考案の収納可能の持ち手を収納したことを示す図である。
【図１０】図１０は、本考案の収納可能の持ち手を展開したことを示す図である。
【図１１】図１１は、本考案の固定持ち手を示す図である。
【考案を実施するための形態】
【００１１】
まず、図１から図５を参照されたい。本考案の櫛構造は、柄部１０と櫛ベースセット６０とを含む。
該柄部１０の内部は櫛ベースセット６０を収容し、柄部１０の上側には頂縁１１が設けられ、柄部１０の底側には底縁１２が設けられる。底縁１２の両側辺はガード棒１３が延伸して形成され、両ガード棒１３の中間は櫛歯が配列される収容空間１４が構成される。  頂縁１１と底縁１２の間を貫通して櫛ベースセット６０を収容して結合する結合溝１５が設けられる。該結合溝１５の幅は頂縁１１より底縁１２に向かって両面から徐々に狭くなる結合溝斜面１５１が形成され、また、柄部１０の頂縁１１から底縁１２の間の両外側辺は握り面１６が設けられ、両外側辺の握り面１６の中段部分に位置決め孔１７が設けられる。
【００１２】
前記櫛ベースセット６０は櫛ベース２０と、複数の櫛歯３０と、複数のバネ４０と蓋５０とを含む。
該櫛ベース２０の上側には密封溝２１が設けられて、該密封溝２１内に蓋５０を収容し、蓋５０の該密封溝２１に相対する底側には直線状に配列する円柱５１が設けられる。
櫛ベース２０の両外側にはそれぞれ位置決め面２５が構成されて両位置決め面２５の中段部分には位置決めブロック２６が突出形成され、密封溝２１には複数の凹み孔２２が直線状に配列して設けられ、該凹み孔２２の底端は小さい孔径の貫通孔２３が櫛ベース２０の底部方向に向かって貫通し、該凹み孔２２と貫通孔２３が連接する箇所で孔径の大きさを変えて凹み孔２２と貫通孔２３の間に止め縁２４が構成される。凹み孔２２内にはそれぞれ櫛歯３０とバネ４０が収容される。該櫛歯３０は、櫛歯本体３１の頂端には拡大して直径の大きいヘッド部３２が設けられ、櫛歯本体３１の末端には球面３３が設けられる。
該ベース２０の両位置決め面２５の間の厚みは、頂縁から底縁に向かって徐々に縮小することで、両位置決め面２５が前記柄部１０の結合溝１５の両斜面１５１に対応して合致して密接して結合する。
【００１３】
以上の構成によって、櫛ベースセット６０の櫛ベース２０の凹み孔２２内には、それぞれ櫛歯３０とバネ４０を収容し、さらに蓋５０によって封じる。
柄部１０と櫛ベースセット６０を組み合わせる時、櫛ベース２０の両位置決め面２５が結合溝１５内の結合溝斜面１５１によって結合溝１５内に滑って入ることで、位置決め孔１７が位置決めブロック２６に合致し、柄部１０と櫛ベースセット６０が速やかに合致して密接結合して組み立てを完了する。
【００１４】
該握り面１６は、使用者が使用しやすいよう手で把持するために手に合わせて窄まった内縮斜面１６１とする。
該櫛ベースセット６０の櫛ベース２０の複数の凹み孔２２内にそれぞれ櫛歯３０とバネ４０を収容することにより、
櫛歯本体３１の末端が押圧力を受けない時、バネ４０の頂端は蓋５０の底側の円柱５１に嵌合され、バネ４０の底端は櫛歯本体３１の頂端にある直径の拡大したヘッド部３２に当接することで、ヘッド部３２がバネ４０の外向反発力によって止め縁２４に当接した状態でバネ４０の弾発力によって櫛歯３０の櫛歯本体３１を貫通孔２３より外方に押し出す。
【００１５】
図６は本考案の別の好適実施例である。バネ４０はスリーブ７０内に収容され、スリーブ７０の頂端は蓋５０の底側の円柱５１に嵌合され、スリーブ７０の底端は止め縁２４に当接する。スリーブ７０内はバネ４０と櫛歯本体３１の頂端のヘッド部３２を収容することで、バネ４０は押圧力を受けて圧縮または外方に向けて拡張する時、スリーブ７０を介そうすることによって抵抗なく比較的にスムーズに動作する。
【００１６】
さらに図７を参照されたい。本考案の櫛構造は使用する時、櫛歯本体３１の末端の球面３３がバネ４０の外向反発力より大きい力を受ける時、バネ４０が内方に圧縮することで櫛歯本体３１が凹み孔２２内に縮み込むため、櫛歯３０は体の曲面に沿って完全密着して接触でき、それぞれの櫛歯３０が力を受けると同時に、適度に凹み孔２２内に後退して縮み込みかつ単独に作動可能であって、また前記ガード棒１３は櫛歯３０の収縮動作を干渉しない。
引き続き図８を参照されたい。柄部１０の両外側辺の握り面１６に内縮斜面１６１が設けられ、該握り面１６１は手で握るために手指に合わせて内縮斜面を有し、使用者が操作する時、櫛歯３０が体の曲面に沿ってより密着する接触効果を生じさせる。
【００１７】
図９と図１０を参照されたい。該柄部１０の側辺に回転軸１０１が設けられ、収納可能な持ち手１０２が枢設されることで、折り畳む時は櫛歯を守る。
図１１を参照されたい。該柄部１０の側辺には使用しやすいために固定持ち手１０３が設けられる。
以上は、本考案に係る実施例の一部に過ぎないため、本考案の権利範囲を制限するものではない。即ち、本考案の特許請求の範囲内で行われる変化、修飾なども本考案の範囲に属すべきである。
【符号の説明】
【００１８】
１０              柄部
１０１            回転軸
１０２            収納可能な持ち手
１０３            固定持ち手
１１              頂縁
１２              底縁
１３              ガード棒
１４              収容空間
１５              結合溝
１５１            結合溝斜面
１６              握り面
１６１            内縮斜面
１７              位置決め孔
２０              櫛ベース
２１              密封溝
２２              凹み孔
２３              貫通孔
２４              止め縁
２５              位置決め面
２６              位置決めブロック
３０              櫛歯
３１              櫛歯本体
３２              ヘッド部
３３              球面
４０              バネ
５０              蓋
５１              円柱
６０              櫛ベースセット
７０              スリーブ
【図１】
0003226898.tif 000003
【図２】
0003226898.tif 000004
【図３】
0003226898.tif 000005
【図４】
0003226898.tif 000006
【図５】
0003226898.tif 000007
【図６】
0003226898.tif 000008
【図７】
0003226898.tif 000009
【図８】
0003226898.tif 000010
【図９】
0003226898.tif 000011
【図１０】
0003226898.tif 000012
【図１１】
0003226898.tif 000013